【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
滑走ボードの周囲でユーザを解除可能に支持して、該滑走ボードの使用を容易にするように動作可能なビンディングシステムであって、該ビンディングシステムは、
ブーツアセンブリとともにユーザの足を解除可能に固定するように動作可能なビンディングと、
滑走ボードのデッキに回転可能かつ取り外し可能に固定され、該滑走ボードの周囲で該ビンディングおよび該ブーツアセンブリを解除可能に連結するように構成される、ベースアセンブリであって、該ベースアセンブリは、
該滑走ボードの該デッキに取り外し可能に連結されるように構成される、第１の構成要素と、
該第１の構成要素および該滑走ボードに対して回転可能であり、これらとともに動作可能である、第２の構成要素と
を備え、
該第２の構成要素は、該第１の構成要素および該滑走ボードの周囲での該第２の構成要素の回転調整を容易にして、該滑走ボードに対する該ユーザの複数のスタンス配向を達成するように構成される、調整機構と、該ビンディングを受容して係合し、かつ該ベースアセンブリおよび該滑走ボードからの該ビンディングの加圧および選択的な解除を容易にするように構成される、解除機構とを備える、ベースアセンブリと
を備える、ビンディングシステム。
【請求項２】
前記ベースアセンブリと前記滑走ボードの前記デッキとの間に位置するデッキパッドをさらに備え、該デッキパッドは、該ベースアセンブリと該滑走ボードとの間で強化される相互作用を容易にするように構成され、
該デッキパッドは、該ベースアセンブリと該滑走ボードとの間の適切な嵌合を容易にするように、該ベースアセンブリと該滑走ボードとの間で作用するあらゆる負荷または圧力の均一な分配を促進するように、および該ベースアセンブリと該滑走ボードとの間の抵抗を制御することに役立つように、動作可能に構成され、
該デッキパッドは、任意に、該ベースアセンブリと一体的に形成され、
該デッキパッドは、任意に、該滑走ボードの非平面表面の周囲で前記ビンディングシステムの適切な動作を容易にするように動作可能に構成される、少なくとも１つの隆起表面をさらに備える、請求項１に記載のビンディングシステム。
【請求項３】
前記第１の構成要素は、支持ディスクを備え、前記第２の構成要素は、少なくとも部分的に、ボンネットを備え、該支持ディスクおよび前記調整機構は、前記ベースアセンブリの選択配向において相互に動作可能に係合し、該調整機構は、該ベースアセンブリによって、および該支持ディスクの周囲で枢動可能に支持される、付勢ロッキングレバーを備え、該支持ディスクおよび該ロッキングレバーは、インボリュート曲線に沿って１４．５度を超える偏向角を有する、英国式バットレス設計の相補的な歯の構成を備える、請求項１に記載のビンディングシステム。
【請求項４】
前記解除機構は、前記ベースアセンブリから前記ビンディングを解除するように選択的に手動で動作させられ、該解除機構は、
自身の中に形成されるカム部分を有し、前記第２の構成要素内に枢動可能に支持される、把持可能な解除レバーと、
爪先プランジャに動作可能に連結され、これを付勢し、該第２の構成要素の前方部分の周囲で支持され、かつ該解除機構とともに動作可能である、第１の付勢プランジャレバーであって、該爪先プランジャは、該ビンディングに解除可能に係合するように構成される、第１の付勢プランジャレバーと、
踵プランジャに動作可能に連結され、これを付勢し、該第２の構成要素の後方部分の周囲で支持される、第２の付勢プランジャレバーであって、該第２の付勢プランジャレバーは、該解除機構とともに選択的に動作可能であり、該踵プランジャは、該ビンディングに解除可能に係合するように動作可能である、第２の付勢プランジャレバーと、
該解除レバーとともに該第１のプランジャを変位させるように動作可能である、解除カムであって、これにより、該解除レバーの手動作動時に、かつ該第１のプランジャレバーに作用する事前設定された張力を克服することを要求されずに、該ビンディングからの該爪先プランジャの後退を達成する、解除カムと
を備える、請求項１に記載のビンディングシステム。
【請求項５】
前記解除レバーの前記カム部分は、該解除レバーを手動で作動させる時に、反対の端から前記第１のプランジャレバーをトグルするように機能し、該第１のプランジャレバーおよび前記第２のプランジャレバーは、複動式であり、複合運動を提供するように動作する、請求項４に記載のビンディングシステム。
【請求項６】
前記第１のプランジャレバーは、一方の端において解除カムによって動作可能に支持され、もう一方の端においてばねによって付勢され、該第１のプランジャレバーは、該第１のプランジャレバーに対する枢動点を作成するために前記ベースアセンブリの内側に沿って形成される内径に相応する、該付勢された端に沿う半径を備える、請求項４に記載のビンディングシステム。
【請求項７】
前記爪先および踵プランジャは、各々、自身の中に形成され、かつ前記ビンディングによって適用されるような自身の上への力を受容するように動作可能である、複数の圧力面を備え、該圧力面は、それぞれの圧力角度で形成されることにより、無数の解除角度のうちの１つにおいて、前記ベースアセンブリからの該ビンディングの最適な張力解除を容易にし、該圧力面は、３５°と４０°との間の圧力角度で形成されて、該ビンディングの解除のカム運動を遅延させ、かつ該解除前のカム作用を低減することによって該解除までの蓄積を容易にし、これにより、解除張力が該ビンディングシステムの事前設定された張力設定に一致するまで、該圧力面の周囲でいかなる移動または歪曲も発生しない、請求項４に記載のビンディングシステム。
【請求項８】
前記解除レバーは、後退または未作動の位置にある間、該解除レバーを適所に固定するように動作可能である戻り止めロッキング機能を備え、該解除レバーは、該解除レバーと前記ベースアセンブリ内で支持されるポストとの解除可能な係合を容易にする戻り止めを備え、該戻り止めは、該解除レバーの適所へのスナップ留めを容易にする、カム部分をさらに備え、該解除レバーは、該戻り止めに近接する弓形の解除ノッチをさらに備えることにより、該解除レバーが前記ポストと係合および係脱するときに、該戻り止めの限定された歪曲および屈曲を容易にする、請求項４に記載のビンディングシステム。
【請求項９】
前記ベースアセンブリ、したがって前記ビンディングシステムは、互換性があり、異なるタイプの滑走ボードでの使用に対して構成され、前記第１の構成要素は、任意に、標準的な３穴連結配設、標準的な４穴連結配設、およびこれらの任意の組み合わせから成る群より選択される、連結配設を備える、請求項１に記載のビンディングシステム。
【請求項１０】
前記ベースアセンブリに対応する前記ビンディングと、
該ビンディングに動作可能に連結され、前記ユーザの足を該ビンディングに固定するように構成される、ブーツアセンブリと
を備える、ビンディングアセンブリをさらに備え、
該ビンディングは、該ユーザを支持するための上側表面と、該ベースアセンブリの１つ以上の上側表面と噛合し、それらに係合する１つ以上の下側表面とを有する、主支持プレートを備え、
該下側表面は、任意に、該ベースアセンブリの前記上側表面に係合し、かつ張力解除前に、前記滑走ボードの周囲で該ユーザの安定性を強化し、該ベースアセンブリへの該ビンディングの保持を確実にするように機能する、複数の突出部を備え、
該ビンディングは、任意に、該主支持プレートから延在する爪先および踵ピースをさらに備え、これらの各々は、該ベースアセンブリ内で支持されるそれぞれの爪先および踵プランジャに係合するように動作可能であり、
該主支持プレートは、任意に、自身の中に形成される側部窓をさらに備えることにより、前記調整および解除機構の変位または作動を中断することなく、該ベースアセンブリへの該ビンディングの連結を容易にし、
該ビンディングは、自身とともに動作可能である前方および後方フットプレートの一方または両方をさらに備えることにより、該ユーザの足を支持するために該ビンディングによって提供される表面積を増加させ、該前方および後方フットプレートのうちの少なくとも１つは、前記主支持プレートに対して、およびその周囲で調整可能に支持されることにより、異なるユーザの足の寸法に適応する、請求項１に記載のビンディングシステム。
【請求項１１】
前記ブーツアセンブリは、
前記ビンディングに解除可能に固定される、踵カップと、
前記ユーザの脚に係合するように該踵カップに枢動可能に連結される、脚支持部と、
該ブーツアセンブリ内において該ユーザの前記足を調整可能に固定するように該踵カップとともに動作可能である、ストラップ保持システムと
を備え、該ブーツアセンブリは、任意に、該ビンディングから上向きに、および該ユーザの脚の後ろおよび周囲に延在する、安定部をさらに備える、請求項１０に記載のビンディング。
【請求項１２】
前記ストラップ保持システムは、
前方ストラップシステムと、
後方ストラップシステムと
を備え、
該前方および後方ストラップシステムは各々、前記ストラップに対して横断方向に配向した軸を受容して係合するように構成される開口を有する、少なくとも１つのストラップを備え、該軸は、該ストラップの厚さよりも大きい長さを備えることにより、該ストラップから突出し、
前記ビンディングは、該ストラップを受容するスロットを備え、
該スロットは、該軸を受容して係合する、自身の中に形成されるオリフィスを備える該ストラップを該ビンディングに解除可能かつ枢動可能に連結することにより、該ストラップが該スロットを通って滑動することを防止する、請求項１１に記載のビンディングシステム。
【請求項１３】
滑走ボードの周囲でユーザを解除可能に支持するように、ビンディングシステム内においてベースアセンブリとともに動作可能である、ビンディングであって、
該ユーザの足を受容して支持するための上側表面と、該ビンディングが該ベースアセンブリに解除可能に連結される時に、ボンネットの上側表面および該ベースアセンブリの支持ディスクの上部プレートに隣接するように設計される下側表面とを有する、主支持プレートと、
該主支持プレートの前方部分に位置し、かつ該主支持プレートから延在する爪先ピースであって、該ベースアセンブリの爪先プランジャに解除可能に係合する内面の中に形成される受容部をさらに備える、爪先ピースと、
該主支持プレートの後方部分に位置し、かつ該主支持プレートから延在する踵ピースであって、該ベースアセンブリの爪先プランジャに解除可能に係合する内面の中に形成される受容部をさらに備える、踵ピースと、
該主支持プレートの該上側表面の周囲で支持される前方および後方フットプレートであって、該前方および後方フットプレートのうちの少なくとも１つは、該ビンディングに摺動可能に連結される、前方および後方フットプレートと、
該ビンディングに解除可能に装着される踵カップを備えるブーツアセンブリであって、該ビンディングを該ユーザの該足に固定するように動作可能である前方および後方ストラップ保持システムをさらに備える、ブーツアセンブリと
を備える、ビンディング。
【請求項１４】
滑走ボードシステムであって、
滑走ボードと、
該滑走ボードの周囲でユーザを解除可能に支持するように動作可能であることにより、該滑走ボードの使用を容易にする、ビンディングシステムであって、該ビンディングシステムは、
ユーザの足を解除可能に固定するように、ブーツアセンブリとともに動作可能なビンディングと、
滑走ボードのデッキに回転可能かつ取り外し可能に固定され、該滑走ボードの周囲で該ビンディングを動作可能かつ解除可能に連結するように構成される、ベースアセンブリであって、該ベースアセンブリは、
該滑走ボードの該デッキに取り外し可能に連結されるように構成される、第１の構成要素と、
該滑走ボードに対する該ユーザの複数のスタンス配向を容易にするように、該第１の構成要素に対して回転可能であり、これとともに動作可能である、第２の構成要素と、
該ビンディングを受容して係合し、該ベースアセンブリおよび該滑走ボードからの該ビンディングの加圧および選択的解除を容易にするように、該第２の構成要素とともに動作可能である、解除機構と
を備える、ベースアセンブリと、
該ビンディングに動作可能に連結され、該ユーザの足を該ビンディングに固定するように構成される、ブーツアセンブリと
を備える、ビンディングシステムと
を備え、該滑走ボードシステムは、異なるタイプの第２の滑走ボードを備え、該ビンディングシステムは、該滑走ボードと該第２の滑走ボードとの間で互換性があり、両方とともに動作可能である、滑走ボードシステム。
【請求項１５】
滑走ボードを動作させるための方法であって、
自身とともに動作可能であるビンディングシステムを有する、滑走ボートを得ることであって、該ビンディングシステムは、該滑走ボードのデッキに取り外し可能に連結されるように構成される、第１の構成要素と、該第１の構成要素に対して回転可能であり、これとともに動作可能である、第２の構成要素とを有する、ことと、
該ビンディングシステムによって提供されるような、該滑走ボードに対する該ユーザの複数のスタンス配向のうちの１つをダイヤルで設定するように、調整機構を作動させることと
を含む、方法。
【手続補正２】
【補正対象書類名】明細書
【補正対象項目名】００１７
【補正方法】変更
【補正の内容】
【００１７】
本発明はさらに、滑走者を滑走ボードに固定するための方法を特徴とする。
例えば、本発明は以下の項目を提供する。
（項目１）
滑走ボードの周囲でユーザを解除可能に支持して、該滑走ボードの使用を容易にするように動作可能なビンディングシステムであって、該ビンディングシステムは、
ブーツアセンブリとともにユーザの足を解除可能に固定するように動作可能なビンディングと、
滑走ボードのデッキに回転可能かつ取り外し可能に固定され、該滑走ボードの周囲で該ビンディングおよび該ブーツアセンブリを解除可能に連結するように構成される、ベースアセンブリであって、該ベースアセンブリは、
該滑走ボードの該デッキに取り外し可能に連結されるように構成される、第１の構成要素と、
該第１の構成要素および該滑走ボードに対して回転可能であり、これらとともに動作可能である、第２の構成要素と
を備え、
該第２の構成要素は、該第１の構成要素および該滑走ボードの周囲での該第２の構成要素の回転調整を容易にして、該滑走ボードに対する該ユーザの複数のスタンス配向を達成するように構成される、調整機構と、該ビンディングを受容して係合し、かつ該ベースアセンブリおよび該滑走ボードからの該ビンディングの加圧および選択的な解除を容易にするように構成される、解除機構とを備える、ベースアセンブリと
を備える、ビンディングシステム。
（項目２）
上記ベースアセンブリと上記滑走ボードの上記デッキとの間に位置するデッキパッドをさらに備え、該デッキパッドは、該ベースアセンブリと該滑走ボードとの間で強化される相互作用を容易にするように構成される、項目１に記載のビンディングシステム。
（項目３）
上記第１の構成要素は、支持ディスクを備え、上記第２の構成要素は、少なくとも部分的に、ボンネットを備え、該支持ディスクおよび上記調整機構は、上記ベースアセンブリの選択配向において相互に動作可能に係合する、項目１に記載のビンディングシステム。
（項目４）
上記調整機構は、上記ベースアセンブリによって、および上記支持ディスクの周囲で枢動可能に支持される、付勢ロッキングレバーを備える、項目１に記載のビンディングシステム。
（項目５）
上記支持ディスクおよび上記ロッキングレバーは、インボリュート曲線に沿って１４．５度を超える偏向角を有する、英国式バットレス設計の相補的な歯の構成を備える、項目４に記載のビンディングシステム。
（項目６）
上記解除機構は、上記ベースアセンブリから上記ビンディングを解除するように選択的に手動で動作させられ、該解除機構は、
自身の中に形成されるカム部分を有し、上記第２の構成要素内に枢動可能に支持される、把持可能な解除レバーと、
爪先プランジャに動作可能に連結され、これを付勢し、該第２の構成要素の前方部分の周囲で支持され、かつ該解除機構とともに動作可能である、第１の付勢プランジャレバーであって、該爪先プランジャは、該ビンディングに解除可能に係合するように構成される、第１の付勢プランジャレバーと、
踵プランジャに動作可能に連結され、これを付勢し、該第２の構成要素の後方部分の周囲で支持される、第２の付勢プランジャレバーであって、該第２の付勢プランジャレバーは、該解除機構とともに選択的に動作可能であり、該踵プランジャは、該ビンディングに解除可能に係合するように動作可能である、第２の付勢プランジャレバーと、
該解除レバーとともに該第１のプランジャを変位させるように動作可能である、解除カムであって、これにより、該解除レバーの手動作動時に、かつ該第１のプランジャレバーに作用する事前設定された張力を克服することを要求されずに、該ビンディングからの該爪先プランジャの後退を達成する、解除カムと
を備える、項目１に記載のビンディングシステム。
（項目７）
上記解除レバーの上記カム部分は、該解除レバーを手動で作動させる時に、反対の端から上記第１のプランジャレバーをトグルするように機能する、項目６に記載のビンディングシステム。
（項目８）
上記第１および第２のプランジャレバーは、複動式であり、複合運動を提供するように動作する、項目６に記載のビンディングシステム。
（項目９）
上記第１のプランジャレバーは、一方の端において解除カムによって動作可能に支持され、もう一方の端においてばねによって付勢され、該第１のプランジャレバーは、該第１のプランジャレバーに対する枢動点を作成するために上記ベースアセンブリの内側に沿って形成される内径に相応する、該付勢された端に沿う半径を備える、項目６に記載のビンディングシステム。
（項目１０）
上記解除機構が、張力解除を容易にし、上記ビンディングシステムが、可変で調整可能な事前設定された張力設定を備え、これにより、上記ビンディングは、事前設定された張力解除閾値を超える力および結果として生じる圧力を及ぼす時に、該ビンディングが上記ベースアセンブリから自動的に解除するように機能する、項目６に記載のビンディングシステム。
（項目１１）
上記爪先および踵プランジャは、各々、自身の中に形成され、かつ上記ビンディングによって適用されるような自身の上への力を受容するように動作可能である、複数の圧力面を備え、該圧力面は、それぞれの圧力角度で形成されることにより、無数の解除角度のうちの１つにおいて、上記ベースアセンブリからの該ビンディングの最適な張力解除を容易にする、項目６に記載のビンディングシステム。
（項目１２）
上記圧力面は、３５°と４０°との間の圧力角度で形成されて、上記ビンディングの解除のカム運動を遅延させ、かつ該解除前のカム作用を低減することによって該解除までの蓄積を容易にし、これにより、解除張力が上記ビンディングシステムの事前設定された張力設定に一致するまで、該圧力面の周囲でいかなる移動または歪曲も発生しない、項目１１に記載のビンディングシステム。
（項目１３）
上記解除レバーは、後退または未作動の位置にある間、該解除レバーを適所に固定するように動作可能である戻り止めロッキング機能を備え、該解除レバーは、該解除レバーと上記ベースアセンブリ内で支持されるポストとの解除可能な係合を容易にする戻り止めを備える、項目６に記載のビンディングシステム。
（項目１４）
上記戻り止めは、上記解除レバーの適所へのスナップ留めを容易にする、カム部分をさらに備える、項目１３に記載のビンディングシステム。
（項目１５）
上記解除レバーは、該戻り止めに近接する弓形の解除ノッチをさらに備えることにより、該解除レバーが上記ポストと係合および係脱する時に、上記戻り止めの限定された歪曲および屈曲を容易にする、項目１３に記載のビンディングシステム。
（項目１６）
上記第１の構成要素は、標準的な３穴連結配設、標準的な４穴連結配設、およびこれらの任意の組み合わせから成る群より選択される、連結配設を備える、項目１に記載のビンディングシステム。
（項目１７）
上記ベースアセンブリ、したがって上記ビンディングシステムは、互換性があり、異なるタイプの滑走ボードでの使用に対して構成される、項目１に記載のビンディングシステム。
（項目１８）
上記第２の構成要素は、ライザ機能を提供するように動作可能に構成されることにより、上記ビンディングを持ち上げられた位置に支持して、上記ビンディングシステムのてこの作用を増加させ、かつ潜在的な爪先または踵の抗力を低減または排除する、項目１に記載のビンディングシステム。
（項目１９）
上記デッキパッドは、上記ベースアセンブリと上記滑走ボードとの間の適切な嵌合を容易にするように、該ベースアセンブリと該滑走ボードとの間で作用するあらゆる負荷または圧力の均一な分配を促進するように、および該ベースアセンブリと該滑走ボードとの間の抵抗を制御することに役立つように、動作可能に構成される、項目２に記載のビンディングシステム。
（項目２０）
上記デッキパッドは、上記第２の構成要素の外形と実質的に同じ外形を備える、項目２に記載のビンディングシステム。
（項目２１）
上記デッキパッドは、上記滑走ボードの非平面表面の周囲で上記ビンディングシステムの適切な動作を容易にするように動作可能に構成される、少なくとも１つの隆起表面をさらに備える、項目２に記載のビンディングシステム。
（項目２２）
上記デッキパッドは、上記ベースアセンブリと動作可能に接続する、項目２に記載のビンディングシステム。
（項目２３）
上記デッキパッドは、上記ベースアセンブリと一体的に形成される、項目２に記載のビンディングシステム。
（項目２４）
上記ビンディングと、
該ビンディングに動作可能に連結され、上記ユーザの足を該ビンディングに固定するように構成される、ブーツアセンブリと
を備える、ビンディングアセンブリをさらに備え、
該ビンディングは、該ユーザを支持するための上側表面と、上記ベースアセンブリの１つ以上の上側表面と噛合し、それらに係合する１つ以上の下側表面とを有する、主支持プレートを備え、
該ビンディングは、該ベースアセンブリに対応する、項目１に記載のビンディングシステム。
（項目２５）
上記下側表面は、上記ベースアセンブリの上記上側表面に係合し、かつ張力解除前に、上記滑走ボードの周囲で上記ユーザの安定性を強化し、該ベースアセンブリへの上記ビンディングの保持を確実にするように機能する、複数の突出部を備える、項目２４に記載のビンディングシステム。
（項目２６）
上記ビンディングは、上記主支持プレートから延在する爪先および踵ピースをさらに備え、これらの各々は、上記ベースアセンブリ内で支持されるそれぞれの爪先および踵プランジャに係合するように動作可能である、項目２４に記載のビンディングシステム。
（項目２７）
上記主支持プレートは、自身の中に形成される側部窓をさらに備えることにより、上記調整および解除機構の変位または作動を中断することなく、上記ベースアセンブリへの上記ビンディングの連結を容易にする、項目２４に記載のビンディングシステム。
（項目２８）
上記ビンディングは、自身とともに動作可能である少なくとも１つのフットプレートをさらに備えることにより、上記ユーザの上記足を支持するために該ビンディングによって提供される表面積を増加させる、項目２４に記載のビンディングシステム。
（項目２９）
上記ビンディングは、自身とともに動作可能である前方および後方フットプレートをさらに備えることにより、上記ユーザの足を支持するために上記ビンディングによって提供される上記表面積を増加させる、上記前方および後方フットプレートのうちの少なくとも１つは、上記主支持プレートに対して、およびその周囲で調整可能に支持されることにより、異なるユーザの足の寸法に適応する、項目２８に記載のビンディングシステム。
（項目３０）
上記ブーツアセンブリは、
上記ビンディングに解除可能に固定される、踵カップと、
上記ユーザの脚に係合するように該踵カップに枢動可能に連結される、脚支持部と、
該ブーツアセンブリ内において該ユーザの上記足を調整可能に固定するように該踵カップとともに動作可能である、ストラップ保持システムと
を備える、項目２４に記載のビンディングシステム。
（項目３１）
上記ブーツアセンブリは、上記ビンディングから上向きに、および上記ユーザの脚の後ろおよび周囲に延在する、安定部をさらに備える、項目２４に記載のビンディング。
（項目３２）
上記踵カップは、上記ビンディングに摺動可能に装着されることにより、異なるユーザの足の寸法に適応する、項目３０に記載のビンディングシステム。
（項目３３）
上記ストラップ保持システムは、
前方ストラップシステムと、
後方ストラップシステムと
を備え、
該前方および後方ストラップシステムは各々、上記ストラップに対して横断方向に配向した軸を受容して係合するように構成される開口を有する、少なくとも１つのストラップを備え、該軸は、該ストラップの厚さよりも大きい長さを備えることにより、該ストラップから突出し、
上記ビンディングは、該ストラップを受容するスロットを備え、
該スロットは、該軸を受容して係合する、自身の中に形成されるオリフィスを備える該ストラップを該ビンディングに解除可能かつ枢動可能に連結することにより、該ストラップが該スロットを通って滑動することを防止する、項目３０に記載のビンディングシステム。
（項目３４）
滑走ボードの周囲でユーザを解除可能に支持するように、ビンディングシステム内においてベースアセンブリとともに動作可能である、ビンディングであって、
該ユーザの足を受容して支持するための上側表面と、該ビンディングが該ベースアセンブリに解除可能に連結される時に、ボンネットの上側表面および該ベースアセンブリの支持ディスクの上部プレートに隣接するように設計される下側表面とを有する、主支持プレートと、
該主支持プレートの前方部分に位置し、かつ該主支持プレートから延在する爪先ピースであって、該ベースアセンブリの爪先プランジャに解除可能に係合する内面の中に形成される受容部をさらに備える、爪先ピースと、
該主支持プレートの後方部分に位置し、かつ該主支持プレートから延在する踵ピースであって、該ベースアセンブリの爪先プランジャに解除可能に係合する内面の中に形成される受容部をさらに備える、踵ピースと、
該主支持プレートの該上側表面の周囲で支持される前方および後方フットプレートであって、該前方および後方フットプレートのうちの少なくとも１つは、該ビンディングに摺動可能に連結される、前方および後方フットプレートと、
該ビンディングに解除可能に装着される踵カップを備えるブーツアセンブリであって、該ビンディングを該ユーザの該足に固定するように動作可能である前方および後方ストラップ保持システムをさらに備える、ブーツアセンブリと
を備える、ビンディング。
（項目３５）
滑走ボードシステムであって、
滑走ボードと、
該滑走ボードの周囲でユーザを解除可能に支持するように動作可能であることにより、該滑走ボードの使用を容易にする、ビンディングシステムであって、該ビンディングシステムは、
ユーザの足を解除可能に固定するように、ブーツアセンブリとともに動作可能なビンディングと、
滑走ボードのデッキに回転可能かつ取り外し可能に固定され、該滑走ボードの周囲で該ビンディングを動作可能かつ解除可能に連結するように構成される、ベースアセンブリであって、該ベースアセンブリは、
該滑走ボードの該デッキに取り外し可能に連結されるように構成される、第１の構成要素と、
該滑走ボードに対する該ユーザの複数のスタンス配向を容易にするように、該第１の構成要素に対して回転可能であり、これとともに動作可能である、第２の構成要素と、
該ビンディングを受容して係合し、該ベースアセンブリおよび該滑走ボードからの該ビンディングの加圧および選択的解除を容易にするように、該第２の構成要素とともに動作可能である、解除機構と
を備える、ベースアセンブリと、
該ビンディングに動作可能に連結され、該ユーザの足を該ビンディングに固定するように構成される、ブーツアセンブリと
を備える、ビンディングシステムと
を備える、システム。
（項目３６）
上記滑走ボードシステムは、異なるタイプの第２の滑走ボードを備え、上記ビンディングシステムは、上記滑走ボードと該第２の滑走ボードとの間で互換性があり、両方とともに動作可能である、項目３５に記載の滑走ボードシステム。
（項目３７）
滑走ボードを動作させるための方法であって、
自身とともに動作可能であるビンディングシステムを有する、滑走ボートを得ることであって、該ビンディングシステムは、該滑走ボードのデッキに取り外し可能に連結されるように構成される、第１の構成要素と、該第１の構成要素に対して回転可能であり、これとともに動作可能である、第２の構成要素とを有する、ことと、
該ビンディングシステムによって提供されるような、該滑走ボードに対する該ユーザの複数のスタンス配向のうちの１つをダイヤルで設定するように、調整機構を作動させることと
を含む、方法。